(57)【要約】【課題】  試料の分析を行う領域において、充填される液滴の液滴径のばらつきを抑制することにより分析結果の信頼度を向上させることができる。【解決手段】  液滴に含まれる対象物の分析に用いるカートリッジであって、複数の前記液滴を生成する生成手段と、複数の前記液滴のうち、所定の液滴径の液滴の流動を抑制する抑制部と、を備えることを特徴とする。【選択図】  図１
2019211254.tif 000002
【特許請求の範囲】
【請求項１】
液滴に含まれる対象物の分析に用いるカートリッジであって、
複数の前記液滴を生成する生成手段と、
複数の前記液滴のうち、所定の液滴径の液滴の流動を抑制する抑制部と、
を備えることを特徴とするカートリッジ。
【請求項２】
前記抑制部は、少なくとも１つの凹部を含み、前記凹部は前記カートリッジ内の下面に備えられていることを特徴とする請求項１に記載のカートリッジ。
【請求項３】
前記抑制部は、２つ以上の凹部を含み、前記凹部はそれぞれ前記カートリッジに直交する方向の深さが異なることを特徴とする請求項１または２に記載のカートリッジ。
【請求項４】
前記２つ以上の凹部は、所定の間隔で並列して備えられていることを特徴とする請求項３に記載のカートリッジ。
【請求項５】
前記抑制部は、液滴充填領域よりも上流側の領域に備えられていることを特徴とする請求項１乃至４のいずれか１項に記載のカートリッジ。
【請求項６】
前記凹部は、前記カートリッジに直交する方向の深さが前記所定の液滴径の液滴の半径以上の深さであることを特徴とする請求項１乃至５のいずれか１項に記載のカートリッジ。
【請求項７】
前記凹部は、前記カートリッジに直交する方向の深さが、液滴充填領域に前記液滴が流入する入口の前記カートリッジに直交する方向の高さの半分未満の深さであることを特徴とする請求項６に記載のカートリッジ。
【請求項８】
前記抑制部は、少なくとも１つの凸部を含み、前記凸部は前記カートリッジ内の上面および下面の少なくとも一方に備えられていることを特徴とする請求項１乃至７のいずれか１項に記載のカートリッジ。
【請求項９】
前記抑制部は、２つ以上の凸部を含み、前記凸部はそれぞれ前記カートリッジに直交する方向の高さが異なることを特徴とする請求項８に記載のカートリッジ。
【請求項１０】
前記凸部は、前記生成手段により生成される前記液滴の液滴径に基づいた前記カートリッジに直交する方向の高さを有することを特徴とする請求項８また９に記載のカートリッジ。
【請求項１１】
前記凸部は、前記カートリッジの下面に備えられている場合には、前記カートリッジに直交する方向の高さが前記所定の液滴径の液滴の半径以上の高さであることを特徴とする請求項８乃至１０のいずれか１項に記載のカートリッジ
【発明の詳細な説明】
【技術分野】
【０００１】
本明細書の開示は、カートリッジに関する。
【背景技術】
【０００２】
従来、サンプル中に含まれる化合物や粒子といった分析対象物を分析する方法として、油中水型エマルジョンを反応場とした核酸試料デジタルＰＣＲ（ｄＰＣＲ：ｄｉｇｉｔａｌ  Ｐｏｌｙｍｅｒａｓｅ  Ｃｈａｉｎ  Ｒｅａｃｔｉｏｎ）法が提案されている。デジタルＰＣＲ法において、サンプルを含む反応液を物理的に独立した多数の反応場に分割する方法として、反応液の液滴をオイル中に形成する方法、すなわち、油中水型エマルジョン（Ｗ／Ｏエマルジョン）を形成する方法がある。この方法では、油中水型エマルジョン中の１つ１つの液滴を反応場として用いる（特許文献１）。
【先行技術文献】
【特許文献】
【０００３】
【特許文献１】特表２０１２−５０３７７３号公報
【発明の概要】
【発明が解決しようとする課題】
【０００４】
しかしながら、異なる径の液滴をカートリッジ内の同じ領域に充填された状態で分析が行われると、液滴同士の重なりによって分析結果の信頼度が低下してしまうという課題があった。
【０００５】
本明細書の開示は、試料の分析を行う領域に充填される液滴の液滴径のばらつきを低減することを目的の一つとする。
【０００６】
なお、前記目的に限らず、後述する発明を実施するための形態に示す各構成により導かれる作用効果であって、従来の技術によっては得られない作用効果を奏することも本明細書の開示の他の目的の一つとして位置付けることができる。
【課題を解決するための手段】
【０００７】
本明細書の開示に係るカートリッジは、液滴に含まれる対象物の分析に用いるカートリッジであって、複数の前記液滴を生成する生成手段と、複数の前記液滴のうち、所定の液滴径の液滴の流動を抑制する抑制部と、を備えることを特徴とする。
【発明の効果】
【０００８】
本明細書の開示によれば、試料の分析を行う領域に充填される液滴の液滴径のばらつきを低減することができる。
【図面の簡単な説明】
【０００９】
【図１】第１の実施形態に係るカートリッジの外観を示す図。
【図２】第１の実施形態における全体の処理手順の一例を示すフロー図。
【図３】第１の実施形態に係る一連の分析システムを示す図。
【図４】第１の実施形態に係るカートリッジの外観を示す斜視図。
【図５】第１の実施形態の変形例に係るカートリッジの外観を示す図。
【図６】第１の実施形態の変形例に係るカートリッジの外観を示す図。
【図７】第１の実施形態の変形例に係るカートリッジの断面図。
【発明を実施するための形態】
【００１０】
以下に、本発明の好ましい実施形態を図面に基づいて詳細に説明する。ただし、発明の範囲は図示例に限定されるものではない。また、本明細書においては、カートリッジの底面をＸ軸とＹ軸で示し、Ｚ軸はカートリッジの高さ方向（底面に直交する方向）を示すものとする。すなわち、カートリッジは、第１の軸と第２の軸と、前記２つの軸で規定される底面に垂直な第３の軸とで形成される３次元空間上の前記底面に設置されたカートリッジである。
【００１１】
＜実施形態１＞
本実施形態に係るカートリッジは、試料の分析に用いることができるカートリッジである。ここでいう試料とは、検体そのものであってもよいし、検体に対して精製や濃縮、分析対象物の化学修飾や断片化など、分析のための前処理や調整を施したものであってもよい。分析対象物は、例えば、核酸、ペプチド、タンパク質、酵素などが挙げられ、これらが共存していてもよい。分析対象物は、核酸、ペプチド、タンパク質、酵素の少なくともいずれかが共有結合等で結合または付着した分子、マイクロ粒子、ナノ粒子、さらにはウイルス、細菌、細胞などであってもよい。
【００１２】
分析方法の一例としては、デジタルＰＣＲ法が知られている。デジタルＰＣＲ法では、分析の対象とする核酸を含む試料を、核酸を増幅するための増幅試薬、核酸を検出するための蛍光試薬などと混合して希釈し、物理的に独立した多数の反応場に分割する。エマルジョンに含まれるそれぞれの液滴はデジタルＰＣＲ法において反応場として用いられることがある。そして、多数の反応場（液滴）のそれぞれにおいて独立にＰＣＲが行われ、核酸が増幅される。増幅後に蛍光試薬により核酸を検出し、当該蛍光試薬のシグナルが検出された反応場の数（陽性反応場数）と、増幅後にシグナルが検出されなかった反応場の数（陰性反応場数）とに基づいて、試料中の核酸の濃度を推定することができる。
【００１３】
本実施形態に係るカートリッジは、ポリカーボネート等の透明性を有する樹脂あるいは、ガラスにより形成される。具体的には、図４に示すように予め定められた厚みの複数の樹脂フィルムもしくはガラスを積層することによりカートリッジを形成する。また、ＰＣＲ処理の工程で１００℃程度の温度が加わるため、これらの材質はガラス転移点が高いことが望ましい。積層するための各フィルムの接合方法には、例えば樹脂のガラス転移点未満の低い処理温度で接合が可能な表面活性化接合や分子接着が用いられる。なお、カートリッジの材質および形成方法などは一例であり、上記に限定されるものではない。
【００１４】
以下、図１から図３を用いて本実施形態に係るカートリッジの構成、及び濃度分析システムを用いたデジタルＰＣＲの一連の処理を説明する。
【００１５】
図１は本実施形態に係るカートリッジ１００の外観を示す図である。
【００１６】
図１（ａ）はカートリッジ１００の平面図である。図１（ｂ）はカートリッジ１００のＡ−Ａ’断面を示す断面図である。図１（ｃ）はカートリッジ１００のＢ−Ｂ’断面を示す断面図である。なお、図１において、カートリッジ１００の斜線部分は樹脂等で形成される部分を示しているが、図１（ａ）においては内部の構造を示すために上面の樹脂（図１（ｂ）の液滴充填領域１０７上面の黒い部分）を便宜的に除いて示している。
【００１７】
以下、図１（ａ），（ｂ）を用いてカートリッジ１００の構成を説明する。
【００１８】
第１の部材１０１は、液滴を生成するための第１の液体（水相）が注入される部材である。第１の部材１０１に注入された第１の液体（水相）は、生成部１０２へと送液される。生成部１０２は、複数の孔を有しており、注入された第１の液体が複数の孔を透過することで互いに物理的に独立した複数の反応場、すなわち液滴が生成される。第１の流路１０３は、第１の部材１０１および液滴保持領域１０４と接続されている。液滴保持領域１０４は、核酸増幅処理を施すために生成部１０２で生成された液滴を保持する。第２の流路１０５は、液滴保持領域１０４、液滴充填領域１０７および第２の部材１１０と接続されている。また、第１の流路１０３と液滴保持領域１０４と第２の流路１０５とはＵ字型に連通している。入口部１０６は、液滴充填領域１０７の入り口の断面を示している。液滴充填領域１０７は、複数の領域に分岐しており、それぞれ異なる液滴径の液滴が充填される。液滴堰き止め部１０８は液滴充填領域１０７の終端部に備えられており、各液滴充填領域の入口部１０６の断面積よりも終端部の断面積を小さくすることにより液滴充填領域１０７に充填される液滴の流出を防ぐ。排出部１０９は、第２の液体が排出される部材である。第２の部材１１０は、第２の液体が注入される部材である。抑制部１１１は、所定の液滴径の液滴の流動を抑制する。
【００１９】
上記のように本実施例では説明の便宜上、カートリッジ１００内の連通している１つの空間を第１の流路１０３、液滴保持領域１０４、第２の流路１０５及び液滴充填領域１０７を、Ｚ軸方向の高さが異なる４つの空間に分けて規定する。具体的には、第１の流路１０３と第２の流路１０５に比べて液滴保持領域１０４のＺ軸方向の高さが低く、液滴保持領域１０４に比べて液滴充填領域１０７のＺ軸方向の高さが低い。
【００２０】
しかし、空間の分岐点は上記に限定されず、分岐した空間を規定する手段も種々の手段で実現される。例えば、第１の流路１０３、液滴保持領域１０４、第２の流路１０５を１つの液滴保持領域と規定してもよい。また、カートリッジ１００底面からのＺ軸方向の高さが異なる２つの空間を液滴保持領域と液滴充填領域などと規定してもよい。
【００２１】
次に、図１から図３を用いて本実施形態における全体の処理を説明する。
【００２２】
（Ｓ２０００）（第２の液体（油相）を注入する）
ステップＳ２０００において、図３に示す油相注入手段３０６によって第２の液体（油相）が注入されカートリッジ１００に充填される。第２の液体（油相）は、油と界面活性剤とを含む。油相は水相と相溶せず分離する溶剤から成り、典型的には脂肪族炭化水素やシリコーンオイル等のオイルから成る。
【００２３】
また、油相注入手段３０６には、シリンジ等の所定の容量の液体を吐出する手段や、流路内の空気を加圧または減圧するポンプやポンプとバルブの組み合わせなどを用いることができる。すなわち、油相注入手段３０６は、カートリッジ１００内に油を注入できる機能を有する任意の手段により実現される。
【００２４】
本ステップにおいて、第２の液体（油相）は第２の部材１１０の開口部から注入することにより、生成部１０２を透過せずにカートリッジ１００に充填することができるため充填時間は短くなる。なお、第２の液体（油相）は、第１の部材１０１の開口部から注入されてもよいし、排出部１０９から注入されてもよい。また、油相注入手段３０６によって注入される第２の液体（油相）は、カートリッジ１００全体を満たすように注入し、少なくとも生成部１０２が第２の液体（油相）に浸かる程度の量が注入されることが望ましい。
【００２５】
（Ｓ２０１０）（第１の液体（水相）を注入する）
ステップＳ２０１０において、水相注入手段３０５によって第１の液体（水相）が注入され、第１の部材１０１に充填される。第１の液体（水相）は反応液で構成され、反応液は水と試料と増幅試薬と蛍光試薬とを含有する。なお、反応液の構成はこれに限定されない。また、水相注入手段３０５には、シリンジ等の所定の容量の液体を吐出する手段や、流路内の空気を加圧または減圧するポンプやポンプとバルブの組み合わせなどを用いることができる。すなわち、水相注入手段３０５は、カートリッジ１００内に第１の液体（水相）を注入できる機能を有する任意の手段により実現される。
【００２６】
（Ｓ２０２０）（第１の液体（水相）から液滴を生成する）
ステップＳ２０２０において、駆動手段が第１の部材１０１からカートリッジ１００内を加圧する、もしくは第２の部材１１０からカートリッジ１００内を減圧することにより、カートリッジ１００内に充填された第２の液体（油相）を駆動させる。または、両方から圧力を加えることによりカートリッジ１００内に充填された第２の液体（油相）を駆動させる。
【００２７】
なお、カートリッジ１００が樹脂の薄い層などの機械強度の低い素材で形成されている場合は、破壊や剥離が生じないように第２の部材１１０から駆動手段により減圧することで連続相を駆動させることが望ましい。一方、カートリッジ１００が機械強度の高い素材であれば第１の部材１０１から加圧して連続相を駆動させてもよい。
【００２８】
また、第１の部材１０１と第２の部材１１０のうち駆動手段を用いる方の部材には耐圧栓をつけることで圧力の抜け漏れを防ぐことができる。なお、耐圧栓は必ずしも必要ではない。
【００２９】
また、駆動手段は水相注入手段３０５もしくは油相注入手段３０６を用いてもよいし、これらとは異なる手段を新たに用いてもよい。すなわち、駆動手段は圧力を加えることで液体の駆動が可能な手段であれば種々の手段を用いることができる。
【００３０】
そして、第２の液体（油相）の駆動に伴い、ステップＳ２０１０において生成部１０２上面に充填された第１の液体（水相）が生成部１０２を透過し液滴が生成される。すなわち、第２の液体（油相）を連続相、第１の液体（水相）を含む液滴を分散相とするエマルジョンが形成される。
【００３１】
生成部１０２は例えば、膜状の部材に孔が複数２次元的に配置された部材であり、連続気泡の多孔質体や、繊維を縦横に配置したメッシュ、単一部材に貫通孔を配置したマイクロチャンネルが使用される。生成部１０２として使用される物質の孔の直径は、およそ２０［μｍ］であると望ましいが上記に限定されない。また、生成部１０２は、第１の部材１０１に備えられていることが望ましい。さらには、第１の部材１０１の開口方向に略平行に備えられていることが望ましい。なお、液滴生成が可能な位置であれば生成部１０２が備えられる位置は上記に限定されない。
【００３２】
さらに、エマルジョンの形成方法は上記に限定されない。
【００３３】
例えば、従来公知の乳化方法である撹拌装置や超音波破砕装置などにより機械的エネルギーを付与することでエマルジョンを形成する機械乳化法が挙げられる。また、マイクロ流路乳化法やマイクロ流路分岐乳化法などのマイクロ流路デバイスを用いた方法、乳化膜を用いる膜乳化法などが挙げられる。これらの方法は、単独で用いてもよいし、複数を組み合わせて用いてもよい。これらの中でも機械的乳化法や膜乳化法は、マイクロ流路デバイスを用いた方法に比べて液滴のサイズのばらつき（分散）が大きくなる傾向にあるものの、スループット良くエマルジョンを形成できるため好ましい。
【００３４】
また、エマルジョンを形成する装置の装置構成を単純にできること、液滴のサイズのばらつきが比較的低いエマルジョンを形成できることなどから、膜乳化法が特に好ましい。
【００３５】
すなわち、生成部１０２は、乳化膜であることが好ましい。
【００３６】
膜乳化法としては、直接膜乳化法やポンピング乳化法などを用いることができる。直接膜乳化法とは、乳化膜を介して分散相を一定圧力で押し出すことにより、押し出される側をゆっくり流れている連続相中に、エマルジョンを形成する方法である。ポンピング乳化法とは、連続相を採取したシリンジと分散相を採取したシリンジとで乳化膜を挟み、２つのシリンジから液体を交互に押し出して乳化膜を通過させることによって、エマルジョンを調製する方法である。
【００３７】
なおポンピング乳化法においては、２つのシリンジの一方に連続相と分散相の混合物を採取しておき、もう一方のシリンジは空にしておいてもよい。ポンピング乳化法においては、それぞれシリンジと接続可能な一対のコネクターの間に乳化膜を挟み込んだポンピング式の乳化デバイスを用いることができる。
【００３８】
（Ｓ２０３０）（液滴保持領域に液滴を保持する）
ステップＳ２０３０において、駆動手段が第１の部材１０１からカートリッジ１００内を加圧する、もしくは第２の部材１１０からカートリッジ１００内を減圧することによりカートリッジ１００内に充填された第２の液体（油相）を連続相として駆動させる。または、両方から圧力を加えることによりカートリッジ１００内に充填された第２の液体（油相）を連続相として駆動させる。そして、連続相の駆動に伴い生成部１０２により生成された液滴は、第１の流路１０３を通り液滴保持領域１０４に保持される。
【００３９】
なお、本実施例では、駆動手段により圧力を加えることで連続相を駆動させたが、カートリッジ１００を任意の角度に傾けることにより連続相を駆動させてもよい。例えば、カートリッジ１００を傾動手段（不図示）上に設置し、傾動手段上で液滴生成を行う。そして傾動手段を液滴保持領域１０４に液滴が流れるような角度に傾動させることにより連続相を駆動させ、液滴を液滴保持領域１０４に保持してもよい。傾動手段には、チルトステージなどを用いることができる。
【００４０】
この場合、カートリッジ１００に対して応力を加えなくてよいので、圧力変動による分散相の損失を防ぐことができ分析の信頼性を向上することができる。
【００４１】
さらに、液滴保持領域１０４に液滴が流れるような角度にカートリッジ１００を傾動させることにより、比重の軽い気泡は液滴保持領域１０４から遠ざかるため生成した液滴をカートリッジ１００に混入した気泡から遠ざけて保持することができる。上記により、ステップＳ２０４０において、液滴をサーマルサイクルにかける際に気泡の膨らみによる液滴の損失を防ぐことができる。なお、上記の効果は第１の流路１０３および第２の流路１０５のＺ軸方向の高さを液滴保持領域１０４のＺ軸方向の高さよりも高くすることでより効果を奏する。上記の構成によれば液滴保持領域１０４から気泡が押し出される方向の圧力が、液滴保持領域１０４に気泡が入り込もうとする圧力よりも大きくなるため、第１の流路１０３と第２の流路１０５の方に気泡が逃げやすくなる。また、液滴保持領域１０４のＺ軸方向の高さは高いほど液滴保持領域１０４から気泡が逃げやすい。しかし、カートリッジの熱容量が大きくなり長い処理時間が必要となるため、０．２〜０．８［ｍｍ］の寸法に収めることが望ましい。なお、液滴保持領域１０４のＺ軸方向の高さは上記に限定されない。
【００４２】
また、チルトステージはカートリッジを傾動させるための手段の一例であり、角度を傾けることで連続相を駆動できる手段であればこれに限定されない。さらに、連続相を駆動させるために傾ける角度も限定されない。
【００４３】
（Ｓ２０４０）（カートリッジに熱サイクルを付加する）
ステップＳ２０４０において、図３に示す温度調整手段３０１により液滴保持領域１０４に保持した液滴に含まれる核酸試料に対するＰＣＲ処理が行われる。具体的には、温度調整手段３０１は、ペルチェ素子とコントローラを含み、カートリッジ１００の液滴保持領域１０４に保持された液滴内で核酸増幅反応を発生させている。温度調整手段３０１には、例えばサーマルサイクラーを用いることができる。核酸の増幅反応としては、液滴（反応場）をサーマルサイクルに供することで反応を進行させるＰＣＲ法やＬＣＲ（Ｌｉｇａｓｅ  Ｃｈａｉｎ  Ｒｅａｃｔｉｏｎ）法を用いることができる。また、液滴（反応場）をサーマルサイクルに供さずに温度調整することで反応を進行させるＳＤＡ（Ｓｔｒａｎｄ  Ｄｉｓｐｌａｃｅｍｅｎｔ  Ａｍｐｌｉｆｉｃａｔｉｏｎ）法、ＩＣＡＮ（Ｉｓｏｔｈｅｒｍａｌ  ａｎｄＣｈｉｍｅｒｉｃ  ｐｒｉｍｅｒ−ｉｎｉｔｉａｔｅｄ  Ａｍｐｌｉｆｉｃａｔｉｏｎｏｆ  Ｎｕｃｌｅｉｃ  ａｃｉｄｓ）法、ＬＡＭＰ（Ｌｏｏｐ−Ｍｅｄｉａｔｅｄ  Ｉｓｏｔｈｅｒｍａｌ  Ａｍｐｌｉｆｉｃａｔｉｏｎ）法なども用いることができる。なお、温度調整手段３０１として用いられる装置や核酸増幅の方法は上記に限定されない。
【００４４】
（Ｓ２０５０）（液滴充填領域に液滴を充填する）
ステップＳ２０５０において、ＰＣＲ処理を施した液滴を液滴充填領域１０７に充填する。具体的には駆動手段が第１の部材１０１から加圧するもしくは第２の部材１１０から減圧することにより、エマルジョンが駆動し、エマルジョン中に分散相として存在する液滴が第２の流路１０５を通り液滴充填領域１０７へと充填される。なお、加圧と減圧の両方を行うことによりエマルジョンを駆動してもよい。
【００４５】
なお、カートリッジ１００内の液滴が通過する第２の流路１０５の下面には凹形状をした抑制部１１１（以下、凹部）を設けている。これにより、生成した液滴の中に含まれる閾値以下の液滴径を有する小径液滴の移動を抑制し、液滴充填領域１０７へ充填されることを防ぐことができるため、充填される液滴の液滴径のばらつきをより低減することができる。
【００４６】
これにより、多分散を有する分析システムにおいても液滴径のバラつきから生じる液滴の重なりの発生を抑えることができ、計測精度を向上させることができる。
【００４７】
また、凹部の深さは移動を抑制したい液滴径に応じて設定してもよい。例えば２０［μｍ］以下の液滴の液滴充填領域１０７への充填を防ぎたい場合には１５［μｍ］程度の深さの凹部を設ける。すなわち、凹部は、Ｚ軸方向の深さが所定の液滴径の液滴の半径以上の深さであることが好ましい。これは、液滴径の半径以上の深さを有する凹部であれば液滴が凹部から抜け出してくる可能性を低減できるためである。
【００４８】
一方、上記によれば充填したい液滴の半径以上の凹部を設けてしまうと、充填したい液滴の液滴充填領域１０７への移動も抑制されてしまう。そのため、凹部は入口部１０６のＺ軸方向の高さの半分未満の深さ、すなわち充填したい液滴の半径未満の深さであることが望ましい。
【００４９】
また、複数の液滴が凹部に入るとその上を乗り越えて流れる小径液滴も発生するため、凹部は複数設けることが好ましい。このように複数の凹部を設けることにより小径液滴が凹部に入る確率を高められる。また、複数の凹部は、凹部同士の間隔が離れすぎていると１つめの凹部を乗り越えた小径液滴が、凹部間に備えられた液滴充填領域に流入してしまう可能性があるため所定の間隔で連続して設けられていることが好ましい。具体的には、液滴充填領域１０７の隣り合う液滴充填領域の間隔よりも狭い間隔で設けることが好ましい。さらに、複数の凹部の夫々の深さを、第２の流路１０５内を液滴が流れる方向に順に深くしてもよい。すなわち、抑制部１１１は、２つ以上の凹部を含み、凹部はそれぞれＺ軸方向の深さが異なる構成でもよい。上記によれば、生成した液滴の中でも液滴径の小さな液滴から凹部に滞留させることができるため、閾値以下の液滴径を有する液滴が液滴充填領域１０７に充填されてしまう確率をより低減できる。
【００５０】
なお、抑制部１１１は必ずしも複数設ける必要はなく、１つでもよい。さらに、本実施形態においては第２の流路１０５上に抑制部１１１を設けたが、設ける位置は第１の流路１０３上や、液滴保持領域１０４上でもよい。すなわち、液滴充填領域１０７よりも上流側の領域に設けられていればよい。
【００５１】
また、抑制部１１１のＺ軸方向の深さ及び高さは任意に定めることができ、上記に限定されるものではない。
【００５２】
本実施例では、第２の流路１０５を通り液滴が流れる液滴充填領域１０７は８つの並列した液滴充填領域に分岐しており、図１（ｃ）のＢ−Ｂ断面図に示されるように夫々のＺ軸方向の高さは７０［μｍ］と９０［μｍ］である。なお、本実施例において入口部１０６は矩形であり、Ｘ軸方向の長さはＺ軸方向の長さよりも長い。すなわち、Ｚ軸方向の高さは矩形の短辺に相当する。なお、Ｘ軸方向の長さの方が短くてもよく、その場合はＸ軸方向の幅が短辺となる。また、入口部１０６は必ずしも矩形である必要はなく円形でもよい。この場合、短径が短辺に相当し、円形が真円である場合には、直径が短辺に相当する。液滴充填領域１０７の短辺（Ｚ軸方向の高さ）は、取り扱う分散相の平均液滴径およびその分散によって、低すぎると球体である分散相形状を変形させてしまい濃度の推定精度に影響する。一方、高すぎると分散相が観察方向に重なり、観察が難しくなる。したがって、本分析システムにおいてはおおよそ２０〜２００［μｍ］の値であることが望ましい。なお、液滴充填領域１０７の数、及び高さはこれに限定されず、液滴充填領域１０７のＺ軸方向の高さは液滴充填領域毎に必ずしも変える必要はなく一律でもよい。
【００５３】
さらに、並列した複数の液滴充填領域は上流側の液滴充填領域ほど液滴充填領域１０７のＺ軸方向の高さを低くすることが望ましい。すなわち、液滴充填領域１０７に含まれる液滴充填領域は、前記入口の短辺の長さに基づいて並列して備えられていることが望ましい。液滴充填領域１０７のうち、上流側の液滴充填領域の短辺（Ｚ軸方向の高さ）を下流側の液滴充填領域より高くすると、上流側の液滴充填領域には小径の液滴も一緒に充填されるため、分析結果の信頼度が劣化してしまう可能性がある。具体的には、液滴径が異なる液滴が同じ液滴充填領域に充填されると、液滴充填領域底面からの液滴間の接触点の高さが不均一になってしまうことがある。また、液滴充填領域内で液滴の上に他の液滴が重畳してしまうことがある。こういった場合、ステップＳ２０５０においてＺ軸方向（撮像方向）から液滴を観察する際に液滴同士が重なり、分析結果の信頼度が劣化してしまう可能性がある。
【００５４】
そのため、上流側の液滴充填領域の短辺（Ｚ軸方向の高さ）を低くし、小径の液滴を上流側の液滴充填領域に先に充填することで下流側の液滴充填領域には大径の液滴が充填され、液滴の重なりを防ぐことができる。
【００５５】
また、短辺がＸ軸方向の幅である場合、入口部１０６において断面のＺ軸方向の高さを変えずに、Ｘ軸方向の幅を変えることによって充填される液滴を液滴径ごとに分けてもよい。この場合、例えば高さは変えずに、Ｘ軸方向の幅を７０［μｍ］と９０［μｍ］とする。上記によれば、液滴を液滴径毎に分けて充填する場合に、液滴充填領域１０７に含まれる各液滴充填領域のＺ軸方向の高さを高くする必要がないので領域内で液滴が重畳することをより防ぐことができる。
【００５６】
また、液滴充填領域１０７は入口部１０６の断面積と、液滴充填領域内部の任意の断面の断面積とが異なる構成であってもよい。すなわち、入口部１０６の断面と入口部１０６とは異なる領域内部の断面とは断面積の大きさが異なっていてもよい。例えば、入口部１０６の断面積に対して液滴充填領域内部の断面積を大きくする。上記によれば、入口部１０６の断面積で液滴充填領域に流入する液滴の液滴径を絞り、かつ液滴充填領域内部により多くの液滴を充填することができる。これにより、液滴充填領域１０７内の液滴充填量が増加し分析結果の信頼度をより向上させることができる。もしくは、入口部１０６の断面積に対して液滴充填領域内部の断面積を小さくしてもよい。上記によれば、液滴が充填される際に入口部１０６から断面積が徐々に小さくなるため液滴充填領域終端部には液滴径の小さい液滴が充填され、入口部１０６付近には液滴径の大きい液滴が充填される。すなわち、各液滴充填領域内部でさらに領域毎に液滴径が揃うため分析時の液滴径のばらつきをより低減することができる。
【００５７】
なお、液滴充填領域１０７の底面の高さは液滴充填領域毎に必ずしも共通している必要はない。
【００５８】
液滴充填領域１０７に充填された液滴は終端部の液滴堰き止め部１０８によって流動が抑制される。液滴堰き止め部１０８は液滴充填領域１０７の終端部の断面積が充填される液滴の断面積より小さくなるような大きさで設けられる。すなわち、液滴充填領域１０７は、入口部１０６の断面積に比べて終端部の断面積の方が小さい。例えば、入口部１０６の断面積の大きさが７０［μｍ］で生成部１０２が生成する液滴の平均径が６０［μｍ］である場合には、断面積が４０［μｍ］の液滴堰き止め部１０８を液滴充填領域１０７の終端部に設ける。
【００５９】
上記のように液滴堰き止め部１０８を設けることにより、連続相は流れるが充填される液滴の流動は抑制することができる。すなわち、液滴が自由に動ける範囲を狭めることによって、液滴の流出を防止できるため観察可能な液滴量が増える。また、液滴堰き止め部１０８を設けることにより分析時に妨げとなる液滴の流動によるアーチファクトを低減することができるため無駄なく液滴を分析することができる。なお、本実施例では液滴堰き止め部１０８は、液滴充填領域１０７の下面に備えられているが、上面に備えられていてもよい。また、液滴堰き止め部１０８は、液滴充填領域１０７に含まれる液滴充填領域ごとに異なる断面積で設けてもよい。
【００６０】
なお、本ステップにおいても、カートリッジ１００を任意の角度に傾けることにより液滴を駆動させてもよい。
【００６１】
（Ｓ２０６０）（液滴内の核酸増幅産物有無を観察する）
ステップＳ２０６０において、カートリッジ１００は観察ステージに移送され蛍光などの光が計測される。すなわち、Ｓ２０４０において増幅された試料中の分析対象物の分析が行われる。蛍光は図３に示す照明手段３０９と観察手段３１０とで計測され、照明手段３０９は、所定の波長の光を液滴充填領域１０７に保持された複数の液滴に照射する。照明手段３０９としては、ＬＥＤライト、ハロゲンランプおよび蛍光灯などを用いることができる。観察手段３１０は、光が照射された複数の液滴のそれぞれから発せられたシグナルを検出し、液滴内増幅産物の有無を観察する。また、液滴径の測定を行う。観察手段３１０としては、フォトダイオードやラインセンサ、イメージセンサ（撮像素子）等を用いることができ、中でも、多数の液滴について一括してシグナルの検出ができる点で、イメージセンサを用いることが好ましい。イメージセンサとしては、ＣＣＤ（電荷結合素子）、ＣＭＯＳ（相補型金属酸化膜半導体）イメージセンサを用いることができる。観察手段３１０は、イメージセンサを備えたデジタルカメラであってもよい。
【００６２】
なお、本ステップＳ２０６０において、観察時に液滴の流動を抑制するために観察ステージは傾動する機構を有していてもよい。
【００６３】
（Ｓ２０７０）（核酸増幅前の試料の核酸濃度を推定する）
ステップＳ２０７０において、Ｓ２０６０で行われた観察の結果から試料の全体積に対する増幅産物を含まない液滴の体積の割合から試料内の濃度推定を行う。
【００６４】
（分析対象物の濃度の計算）
分析対象物の濃度の計算は、従来行われているデジタル分析における濃度計算方法を採用して実施することができる。温度調整手段３０１における反応の前に、それぞれの反応場が含む分析対象物が１個または０個のいずれかであるとみなせる場合について説明する。この場合は、分析対象物が検出された反応場（陽性反応場）の数ｘを、観察手段３１０が分析対象物の検出の対象とした体積Ｖｓの反応液中に含まれていた分析対象物の数とみなすことができる。よって、下記式（１）により、反応液中の分析対象物の濃度λｒを計算することができる。なお、観察手段３１０が分析対象物の検出の対象とした体積Ｖｓは、観察手段３１０から取得される反応場のサイズに関する情報に基づいて算出することができる。
λｒ＝ｘ／Ｖｓ・・・式（１）
【００６５】
また、例えば、温度調整手段３０１における反応の前に、１つの反応場に複数個の分析対象物が入り得るとみなせる場合は、ポアソンモデルによる補正を行うことで、分析対象物の濃度を計算することができる。この場合は、温度調整手段３０１における反応の前にそれぞれの反応場に含まれていた分析対象物の平均個数Ｃを推定することにより、分析対象物の濃度算出を行う。具体的には、観察手段３１０が分析対象物の検出の対象とした反応場について、１つの反応場に含まれる分析対象物の平均個数をＣとすると、１つの反応場にｎ個の分析対象物が含まれる確率は、ポアソンモデルの式から、下記式（２）のように表される。
Ｐ（ｎ，Ｃ）＝（Ｃｎ−ｅ−Ｃ）／ｎ！  ・・・式（２）
【００６６】
ここで、１つの反応場が分析対象物を１つも含まない確率は、式（２）においてｎ＝０として、下記式（３）で表される。
Ｐ（０，Ｃ）＝ｅ−Ｃ  ・・・式（３）
【００６７】
温度調整手段３０１における反応の前に１つの反応場中に少なくとも１つの分析対象物が含まれていれば、その反応場からはシグナルを検出することができるが、反応の前にその反応場に含まれていた分析対象物の数の情報までは分からない。そこで、観察手段３１０が検出対象とした反応場の総数に対する、分析対象物が検出されなかった反応場の割合（シグナルが検出されなかった反応場の割合）に基づいて、式（３）を用いて、検出対象とした反応液中に含まれていた分析対象物の個数を推定する。
【００６８】
具体的には、シグナルが検出された反応場の個数またはシグナルが検出されなかった反応場の個数と、検出対象とした反応場の総数とから、シグナルが検出されなかった反応場の割合Ｆ０を算出する。そして、下記式（４）から、検出対象とした反応場に、温度調整手段３０１における反応の前に１つの反応場に含まれていた分析対象物の平均個数Ｃを推定する。
Ｃ＝−ｌｎ（Ｆ０）  ・・・式（４）
【００６９】
ここで、観察手段３１０が分析対象物の検出対象とした反応場の平均体積をｖとすると、下記式（５）により、反応液中の分析対象物の濃度λｒを計算することができる。なお、観察手段３１０が分析対象物の検出の対象とした平均体積ｖは、観察手段３１０から取得される反応場のサイズに関する情報に基づいて算出することができる。
λｒ＝Ｃ／ｖ  ・・・式（５）
【００７０】
なお、反応液中の分析対象物の濃度λｒは、分析対象物の平均個数Ｃと反応場の数を乗じて得られる分析対象物の総数と、反応場の平均体積ｖと反応場の数を乗じて得られる反応場の総体積と、に基づいて算出してもよい。
【００７１】
このようにして得られた、反応液中の分析対象物の濃度は、検体またはサンプルから反応液を調整した際の希釈倍率を用いることによって、検体またはサンプル中の分析対象物の濃度に換算することができる。
【００７２】
上記の処理によれば、分析対象となる液滴を液滴径毎に流路に充填してから液滴の分析を行うことで定量精度および分析結果の信頼度を向上させることができる。
【００７３】
（変形例１−１）（凸形状の抑制部を設ける）
本実施形態では、カートリッジ１００内部に抑制部１１１を凹形状で設けたが、抑制部１１１は凸形状で設けてもよい。例えば、凸形状の抑制部１１１（以下、凸部）を第２の流路１０５の上面もしくは下面の少なくともいずれか一方に設ける。
【００７４】
図５および図７（ｂ）に示すように凸部を第２の流路１０５の上面に設けた場合には、閾値以上の大径液滴の移動を抑制し、液滴充填領域１０７に充填されてしまう確率を低減できる。
【００７５】
一方、図６および図７（ａ）に示すように凸部を第２の流路１０５の下面に設けた場合には、凹部と同様に閾値以下の液滴径を有する液滴の移動を抑制し、液滴充填領域１０７に充填されてしまう確率を低減できる。
【００７６】
また、抑制部１１１を凸形状にした場合も、複数設けることでより効果を奏する。具体的には、第２の流路１０５の上面に、複数の凸部を設け、凸部のＺ軸方向の高さを液滴が流れる方向に順に高くする。すなわち、抑制部１１１は、２つ以上の凸部を含み、凸部はそれぞれＺ軸方向の高さが異なる構成でもよい。上記によれば、１つめの凸部で移動を抑制しきれなかった大径の液滴を２つ目の凸部で抑制できるため、閾値以上の液滴径を有する液滴が液滴充填領域１０７に充填されてしまう確率をより低減できる。
【符号の説明】
【００７７】
１００  カートリッジ
１０１  第１の部材
１０２  生成部
１０３  第１の流路
１０４  液滴保持領域
１０５  第２の流路
１０６  入口部
１０７  液滴充填領域
１０８  液滴堰き止め部
１０９  排出部
１１０  第２の部材
１１１  抑制部
【図１】
2019211254.tif 000003
【図２】
2019211254.tif 000004
【図３】
2019211254.tif 000005
【図４】
2019211254.tif 000006
【図５】
2019211254.tif 000007
【図６】
2019211254.tif 000008
【図７】
2019211254.tif 000009